(57)【要約】【課題】  記録媒体を精度よく判別することを目的とする。【解決手段】  記録を行う記録媒体の特性を光学センサ２０１によって測定する。そして、記録装置１００で使用すると決定された記録媒体の種類に対応する基準となる記録媒体の特性値を変更する。記録媒体の種類の選択モードに関わらず記録媒体の測定と特性値の変更を行う。【選択図】  図６
2020163600.tif 000002
【特許請求の範囲】
【請求項１】
記録装置で使用される記録媒体の特性を測定手段によって測定した測定結果と、基準となる記録媒体の特性値と、を取得する取得手段と、
記録媒体の種類を示す情報を通知手段に通知させる通知制御手段と、
前記記録装置で使用されると決定された記録媒体の種類に対応する情報を入力するための入力手段と、
を備える情報処理装置であって、
前記測定結果に基づいて、前記記録媒体の種類を決定する際に利用する、前記入力手段によって入力された前記記録媒体の種類に対応する基準となる記録媒体の特性値を変更する変更手段を更に有し、
前記通知制御手段が、前記取得手段が取得した前記測定結果を用いて前記通知手段に前記記録媒体の種類を通知させる測定モードと、
前記通知制御手段が、前記取得手段が取得した前記測定結果を用いず、ユーザーからの記録媒体の種類を指定する情報に基づき前記記録装置で使用されると決定された前記記録媒体の種類を前記通知手段に通知させる指定モードと、を実行可能であり、前記指定モードにおいても前記変更手段が前記入力手段によって入力された記録媒体の特性値を前記通知に用いられなかった前記測定結果に基づいて変更することを特徴とする情報処理装置。
【請求項２】
前記測定モードでは、前記取得手段によって前記測定結果を取得し、前記通知制御手段が、前記測定結果と、前記基準となる記録媒体の特性値と、に基づいて測定された記録媒体の種類の候補を抽出し、前記通知手段に前記候補の記録媒体の種類を示す情報を通知させ、前記変更手段が前記入力手段によって入力された記録媒体の特性値を変更することを特徴とする請求項１に記載の情報処理装置。
【請求項３】
前記測定モードでは、前記取得手段によって前記測定結果を取得し、前記通知制御手段が、前記測定結果と、前記基準となる記録媒体の特性値と、に基づいて複数の記録媒体の種類を前記通知手段に通知させ、所定時間以内に操作されなかった場合には最も上位に通知した記録媒体の種類を前記記録装置で使用されると決定して当該記録媒体の種類を示す情報を入力手段によって入力し、前記変更手段が前記入力手段によって入力された記録媒体の特性値を変更することを特徴とする請求項１または２に記載の情報処理装置。
【請求項４】
前記指定モードでは、前記記録装置で使用される記録媒体の特性を測定手段によって測定する前に、前記記録装置で使用される記録媒体の種類を予め設定し、
前記取得手段は記録装置で使用される記録媒体の特性を測定手段によって測定した測定結果を取得し、予め設定されている記録媒体の種類を示す情報を前記入力手段によって入力し、前記変更手段が前記入力手段によって入力された記録媒体の特性値を変更することを特徴とする請求項１乃至３のいずれか１項に記載の情報処理装置。
【請求項５】
前記指定モードでは、ユーザーは記録媒体の種類を指定する情報として記録媒体に記録媒体の種類を特定するための情報を記録させ、前記特定するための情報を前記測定手段が読み取ることによって前記記録媒体の種類を取得し、取得した前記記録媒体の種類を示す情報を前記入力手段によって入力し、前記変更手段が前記入力手段によって入力された記録媒体の特性値を変更することを特徴とする請求項１乃至４のいずれか１項に記載の情報処理装置。
【請求項６】
前記第測定モードおよび前記指定のモードを含む前記記録媒体の種類を選択するための複数のモードから選択されたモードの入力を受け付ける受付手段を有することを特徴とする請求項１乃至５のいずれか１項に記載の情報処理装置。
【請求項７】
前記変更手段は、前記記録装置で使用されると決定された前記記録媒体に対応する基準となる記録媒体の特性値が前記測定結果に近づくように補正を行うことを特徴とする請求項１乃至６のいずれか１項に記載の情報処理装置。
【請求項８】
前記記録媒体の種類を決定する際に用いる基準となる記録媒体の特性値は、特性値の最大値および最小値を含み、
前記変更手段は、前記記録媒体の種類を決定する際の前記記録媒体に対応する基準となる記録媒体の特性値の中心値が前記測定結果に近づくように補正を行うことを特徴とする請求項７に記載の情報処理装置。
【請求項９】
前記変更手段は、前記記録媒体の種類が前記入力手段によって入力されたときの前記測定結果の平均を当該記録媒体の種類に対応する基準となる記録媒体の特性値とすることを特徴とする請求項１乃至８のいずれか１項に記載の情報処理装置。
【請求項１０】
前記通知制御手段は、前記記録媒体の種類に対応する基準となる記録媒体の特性値の中心値から第一の範囲内に前記測定結果が入った記録媒体の種類を示す情報を前記通知手段に通知させることを特徴とする請求項１乃至９のいずれか１項に記載の情報処理装置。
【請求項１１】
前記測定モードが選択されている場合には、前記通知制御手段は、前記通知手段に予め定められた順に前記記録媒体の種類を示す情報を通知することを特徴とする請求項１乃至１０のいずれか１項に記載の情報処理装置。
【請求項１２】
前記測定モードが選択されている場合には、前記通知制御手段は、前記記録装置で使用された記録媒体の種類を示す使用履歴の情報に基づき、使用した時期が近い記録媒体を示す情報を優先的に前記通知手段に通知させることを特徴とする請求項１乃至１０のいずれか１項に記載の情報処理装置。
【請求項１３】
記録装置で使用される記録媒体の特性を測定手段によって測定した測定結果と、基準となる記録媒体の特性値と、を取得する取得手段と、
記録媒体の種類を示す情報を通知手段に通知させる通知制御手段と、
前記記録装置で使用されると決定された記録媒体の種類を示す情報を入力するための入力手段と、
を備える情報処理装置であって、
前記測定結果に基づいて、前記記録媒体の種類を決定する際に利用する、前記入力手段によって入力された前記記録媒体の種類に対応する基準となる記録媒体の特性値を変更する変更手段を更に有し、
前記通知制御手段が、前記取得手段が取得した前記測定結果を用いて前記通知手段に前記記録媒体の種類を通知させる測定モードと、
前記記録媒体に記録されている記録媒体の種類を識別するための情報から前記測定手段が読み取った記録媒体の種類を取得し、前記取得された前記記録媒体の種類を示す情報を入力手段によって入力する識別モードと、とを実行可能であり、前記識別モードにおいても前記変更手段は前記取得手段が取得した測定結果に基づいて前記入力手段によって入力された記録媒体の特性値を変更することを特徴とする情報処理装置。
【請求項１４】
前記測定モードでは、前記取得手段によって前記測定結果を取得し、前記通知制御手段が、前記取得手段で取得した前記測定結果と、前記基準となる記録媒体の特性値と、に基づいて測定された記録媒体の種類の候補を抽出し、前記通知手段に前記候補の記録媒体の種類を示す情報を通知させ、前記変更手段が前記入力手段によって入力された記録媒体の特性値を変更することを特徴とする請求項１３に記載の情報処理装置。
【請求項１５】
前記測定モードでは、前記取得手段によって前記測定結果を取得し、前記通知制御手段は、前記測定結果と、前記基準となる記録媒体の特性値と、に基づいて複数の記録媒体の種類を前記通知手段に通知させ、所定時間以内に操作されなかった場合には最も上位に通知した記録媒体の種類を前記記録装置で使用されると決定して当該記録媒体の種類を示す情報を入力手段によって入力し、前記変更手段が前記入力手段によって入力された記録媒体の特性値を変更することを特徴とする請求項１３または１４に記載の情報処理装置。
【請求項１６】
請求項１乃至１５のいずれか１項に記載の情報処理装置と、
記録媒体に記録材を付与する記録手段と、
記録媒体を、記録を行う位置に搬送する搬送手段と、を有し、
前記搬送手段が前記記録媒体を前記記録手段が記録を行うことのできる位置に搬送すると、前記記録手段は前記記録媒体に記録を行うことを特徴とする記録装置。
【請求項１７】
前記記録装置は前記記録手段を搭載して移動可能なキャリッジを有し、
前記測定手段は前記キャリッジに搭載され、前記搬送手段によって前記測定手段が測定することのできる位置に搬送された前記記録媒体の特性を測定することを特徴とする請求項１６に記載の記録装置。
【請求項１８】
給紙された記録媒体の特性を測定する測定手段と、
記録媒体の種類を示す情報を通知手段に通知させる通知制御手段と、
前記記録装置で使用されると決定された記録媒体の種類を示す情報を入力するための入力手段と、
を備え、
前記測定結果に基づいて、前記記録媒体の種類を決定する際に利用する、前記入力手段によって入力された前記記録媒体の種類に対応する基準となる記録媒体の特性値を変更する変更手段を更に有し、
前記通知制御手段が、前記測定手段が測定した前記測定結果を用いて前記通知手段に前記記録媒体の種類を通知させる第１のモードと、前記通知制御手段が、前記測定手段が測定した測定結果を用いずに前記通知手段に前記記録媒体の種類を通知させ、前記変更手段が前記入力手段によって入力された記録媒体の特性値を前記通知に用いられなかった前記測定結果に基づいて変更する第２のモード、を実行可能であることを特徴とする記録装置。
【請求項１９】
測定処理を行う場合には、
記録装置で使用される記録媒体の特性を測定し、
測定した測定結果を用いて記録媒体の種類を示す情報を通知手段に通知し、
前記記録装置で使用されると決定された記録媒体の種類を示す情報を入力し、
前記測定結果に基づいて、前記記録媒体の種類を決定する際に利用する、前記入力手段によって入力された前記記録媒体の種類に対応する基準となる記録媒体の特性値を変更し、
指定処理を行う場合には、
記録装置で使用される記録媒体の特性を測定し、
測定した測定結果に関わらずに記録媒体の種類を示す情報を通知手段に通知し、
前記記録装置で使用されると決定された記録媒体の種類を示す情報を入力し、
前記測定結果に基づいて、前記記録媒体の種類を決定する際に利用する、前記入力手段によって入力された前記記録媒体の種類に対応する基準となる記録媒体の特性値を変更することを特徴とする情報処理方法。
【請求項２０】
測定処理を行う場合には、
記録装置で使用される記録媒体の特性を測定し、
測定した測定結果を用いて記録媒体の種類を示す情報を通知手段に通知し、
前記記録装置で使用されると決定された記録媒体の種類を示す情報を入力し、
前記測定結果に基づいて、前記記録媒体の種類を決定する際に利用する、前記入力手段によって入力された前記記録媒体の種類に対応する基準となる記録媒体の特性値を変更し、
指定処理を行う場合には、
記録装置で使用される記録媒体の特性を測定し、
測定した測定結果に関わらずに前記記録装置で使用する記録媒体の種類を決定し、
前記記録装置で使用すると決定された記録媒体の種類を示す情報を入力し、
前記測定結果に基づいて、前記記録媒体の種類を決定する際に利用する、前記入力手段によって入力された前記記録媒体の種類に対応する基準となる記録媒体の特性値を変更することを特徴とする情報処理方法。
【請求項２１】
前記測定処理を行う場合には、
記録装置で使用される記録媒体の特性を測定し、
測定した測定結果と、前記基準となる記録媒体の特性値と、に基づいて測定された記録媒体の種類の候補を抽出し、
抽出した候補の記録媒体の種類を示す記録媒体の種類を示す情報を通知手段に通知し、
前記記録装置で使用されると決定された記録媒体の種類を示す情報を入力し、
前記測定結果に基づいて、前記記録媒体の種類を決定する際に利用する、前記入力手段によって入力された前記記録媒体の種類に対応する基準となる記録媒体の特性値を変更することを特徴とする請求項１９または２０に記載の情報処理方法。
【請求項２２】
前記測定処理を行う場合には、
記録装置で使用される記録媒体の特性を測定し、
測定した測定結果と、前記基準となる記録媒体の特性値と、に基づいて測定された記録媒体の種類の候補を複数抽出し、
抽出した複数の候補の記録媒体の種類を示す情報を通知し、
所定時間以内に操作されなかった場合には最も上位に通知した記録媒体の種類を前記記録装置で使用する記録媒体の種類であると決定し、
決定された記録媒体の種類を示す情報を入力し、
前記測定結果に基づいて、前記記録媒体の種類を決定する際に利用する、前記入力手段によって入力された前記記録媒体の種類に対応する基準となる記録媒体の特性値を変更することを特徴とする請求項１９または２０に記載の情報処理方法。
【請求項２３】
コンピュータを請求項１乃至請求項１５のいずれか１項に記載の情報処理装置の各手段として機能させるためのプログラム。
【発明の詳細な説明】
【技術分野】
【０００１】
本発明は、情報処理装置、記録装置、情報処理方法、及びプログラムに関する。
【背景技術】
【０００２】
記録装置において記録を行う際に、記録媒体の種類に応じた制御パラメータを使用して記録を行うことが知られている。特許文献１には、適切な制御パラメータを使用して記録を行うために、記録対象の記録媒体の複数の特性値を測定し、基準となる値と比較することで記録媒体の種類を判別することが開示されている。
【先行技術文献】
【特許文献】
【０００３】
【特許文献１】特開２０１６−２１５５９１号公報
【発明の概要】
【発明が解決しようとする課題】
【０００４】
しかしながら、記録媒体の特性値を測定するセンサの誤差及び記録媒体の個体差や測定環境の違いなどが測定値に影響を与えるため、予め用意した基準を使用した場合に十分な精度で記録媒体の種類を判別することができない虞がある。
【０００５】
本発明は上記課題に鑑みてなされたものであり、記録媒体の種類を精度よく判別することを目的とする。
【課題を解決するための手段】
【０００６】
本発明は、記録装置で使用される記録媒体の特性を測定手段によって測定した測定結果と、基準となる記録媒体の特性値と、を取得する取得手段と、記録媒体の種類を示す情報を通知手段に通知させる通知制御手段と、前記記録装置で使用されると決定された記録媒体の種類に対応する情報を入力するための入力手段と、を備える情報処理装置であって、前記測定結果に基づいて、前記記録媒体の種類を決定する際に利用する、前記入力手段によって入力された前記記録媒体の種類に対応する基準となる記録媒体の特性値を変更する変更手段を更に有し、前記通知制御手段が、前記取得手段が取得した前記測定結果を用いて前記通知手段に前記記録媒体の種類を通知させる測定モードと、前記通知制御手段が、前記取得手段が取得した前記測定結果を用いず、ユーザーからの記録媒体の種類を指定する情報に基づき前記記録装置で使用されると決定された前記記録媒体の種類を前記通知手段に通知させる指定モードと、を実行可能であり、前記指定モードにおいても前記変更手段が前記入力手段によって入力された記録媒体の特性値を前記通知に用いられなかった前記測定結果に基づいて変更することを特徴とする。
【発明の効果】
【０００７】
本発明によれば、記録媒体の種類を精度よく判別できる可能性が高まる。
【図面の簡単な説明】
【０００８】
【図１】実施形態に係る記録装置の構成を示す斜視図である。
【図２】実施形態に係るキャリッジの構成を示す図である。
【図３】実施形態における光学センサの構成を示す図である。
【図４】実施形態における記録装置の制御系のブロック構成を示す図である。
【図５】実施形態における入出力部の表示形態を示す図である。
【図６】実施形態における記録媒体決定処理を示すフローチャートである。
【図７】実施形態における入出力部の表示形態を示す図である。
【図８】実施形態における推定手動モードを示すフローチャートである。
【図９】実施形態においてＥＥＰＲＯＭに記憶されている特性値を示す表である。
【図１０】実施形態における記録媒体の抽出処理を示すフローチャートである。
【図１１】入出力部の他の形態を示す図である。
【図１２】実施形態において測定される測定値の例を示す表である。
【図１３】実施形態の記録媒体決定処理における判定結果を示す表である。
【図１４】実施形態の順位づけを示す表である。
【図１５】実施形態における特性値を算出する方法を説明するための表である。
【図１６】実施形態における推定自動モードを示すフローチャートである。
【図１７】実施形態における手動モードを示すフローチャートである。
【図１８】実施形態における固定モードを示すフローチャートである。
【図１９】実施形態におけるバーコードモードを示すフローチャートである。
【図２０】実施形態における記録媒体に記録するバーコードを示す図である。
【発明を実施するための形態】
【０００９】
（第１の実施形態）
＜全体構成＞
図１は、記録装置１００の構成を示す斜視図であり、キャスターおよび排紙のためのバスケットが取り付けられている。図１（ａ）は全体の外観を示し、図１（ｂ）は上部カバーを開けて内部構造が見える状態を示す。本実施形態における記録装置１００は、インクジェット記録方式により、記録媒体上に記録材としてインク滴を付与することにより記録を行う。記録媒体はＹ方向を搬送方向として搬送される。そして、記録ヘッド１０２を搭載したキャリッジ１０１はＹ方向と交差するＸ方向に往復移動して記録を行う、いわゆるシリアル型記録ヘッドを備えるインクジェット記録装置について説明する。しかしながら、ノズル列が記録媒体の搬送方向の記録幅に亘って構成された、いわゆるライン型記録ヘッドを備えるインクジェット記録装置が用いられても良い。また、記録機能だけでなく、スキャン機能やＦＡＸ機能、送信機能等が一体化された多機能型周辺装置（ＭＦＰ）でもよい。また、記録材として粉末トナーを用いる電子写真方式の記録装置でもよい。本実施形態では、後述する使用する記録媒体の決定処理を行うための情報処理装置の機能は記録装置１００に搭載されている。
【００１０】
記録装置１００の上部に入出力部４０６を備える。入出力部４０６は操作パネルであり、ディスプレイにインク残量や記録媒体の種類の候補を表示し、ユーザーはキーを操作することにより記録媒体の種類を選択したり記録の設定を行ったりすることができる。
【００１１】
キャリッジ１０１は、光学センサ２０１（図２）と、インクを吐出する吐出口が設けられた吐出口面が形成された記録ヘッド１０２とを有する。キャリッジ１０１は、キャリッジモータ４１５（図４）の駆動により、キャリッジベルト１０３を介してシャフト１０４に沿ってＸ方向（キャリッジの移動方向）に往復移動可能に構成されている。本実施形態において、記録装置１００は、光学センサ２０１により、記録媒体１０５の表面上の乱反射特性値や正反射特性値を取得したり、キャリッジ１０１と記録媒体１０５との間の距離を測定したりすることが可能である。
【００１２】
ロール紙等の記録媒体１０５は、不図示の搬送ローラによりプラテン１０６上をＹ方向に搬送される。搬送ローラによりプラテン１０６上に搬送された記録媒体１０５上をキャリッジ１０１がＸ方向に移動しながら、記録ヘッド１０２からインク滴を吐出することで記録動作が行われる。キャリッジ１０１が記録媒体１０５上の記録領域の端まで移動すると、搬送ローラは記録媒体１０５を一定量搬送し、次の記録走査を行う領域を記録ヘッド１０２が記録可能な位置に移動させる。以上の動作の繰り返しにより画像の記録が行われる。
【００１３】
＜キャリッジ構成＞
図２は、キャリッジ１０１の構成を示す図である。キャリッジ１０１は、トランスレータ２０２とヘッドホルダ２０３とを備えて構成されている。ヘッドホルダ２０３は、記録ヘッド１０２と反射型センサである光学センサ２０１を含む。図２に示すように、光学センサ２０１は、底面が記録ヘッド１０２の底面と同位置若しくはそれよりも高くなるように、構成されている。
【００１４】
＜光学センサ構成＞
図３は、光学センサ２０１の構成を示す断面模式図である。光学センサ２０１は、光学素子として第１のＬＥＤ３０１、第２のＬＥＤ３０２、第３のＬＥＤ３０３、第１のフォトダイオード３０４、第２のフォトダイオード３０５、第３のフォトダイオード３０６を含む。第１のＬＥＤ３０１は、記録媒体１０５の表面（測定面）に対して法線（９０°）の照射角を有する光源である。第１のフォトダイオード３０４は、第１のＬＥＤ３０１から照射され記録媒体１０５からの反射光をＺ方向４５°の角度で受光する。つまり、記録媒体１０５からの反射光のいわゆる乱反射成分を検出する光学系を形成する。
【００１５】
第２のＬＥＤ３０２は、記録媒体１０５の表面（測定面）に対してＺ方向６０°の照射角を有する光源である。第１のフォトダイオード３０４は、第２のＬＥＤ３０２から照射され記録媒体１０５からの反射光をＺ方向６０°の角度で受光する。つまり、発光と受光の角度が等しくなり、記録媒体１０５からの反射光のいわゆる正反射成分を検出する光学系を形成する。
【００１６】
第３のＬＥＤ３０３は、記録媒体１０５の表面（測定面）に対して法線（９０°）の照射角を有する光源である。第２のフォトダイオード３０５と第３のフォトダイオード３０６は、第３のＬＥＤ３０３から照射され記録媒体１０５からの反射光を受光する。第２のフォトダイオード３０５と第３のフォトダイオード３０６は、それぞれの受光量が光学センサ２０１と記録媒体１０５との距離に応じて変化することで、光学センサ２０１と記録媒体１０５との距離を測定する。
【００１７】
本実施形態では光学センサはキャリッジに設置されているが、他の形態でもよい。例えば、記録装置に固定して設置されていてもよいし、あるいは記録装置とは別体の記録媒体の乱反射や正反射等の特性値を測定するための測定機器であって、測定機器によって測定した特性値を記録装置に送信する形態でもよい。
【００１８】
＜ブロック図＞
図４は、記録装置１００の制御系のブロック構成を示す図である。ＲＯＭ４０２は、不揮発性メモリであり、例えば、記録装置１００を制御するための制御プログラムや、本実施形態の動作を実現させるためのプログラムが記憶されている。本実施形態の動作は、例えば、ＣＰＵ４０１がＲＯＭ４０２に記憶されたプログラムをＲＡＭ４０３に読み出して実行することにより実現される。ＲＡＭ４０３は、ＣＰＵ４０１のワーキングメモリとしても用いられる。ＥＥＰＲＯＭ４０４は、記録装置１００の電源がオフとされても保持しておくべきデータを記憶する。少なくとも、ＣＰＵ４０１とＲＯＭ４０２が、後述する記録媒体決定処理をするための情報処理装置の機能を実現する。また、ＥＥＰＲＯＭ４０４は、予め定められた基準として利用する各記録媒体の特性値や、各記録媒体のカテゴリを記憶する。カテゴリとは記録媒体の種類を大きく分類したものであり、本実施形態においては、光沢紙、普通紙、コート紙、フィルム用紙、スペシャル、の５つが設定されている。例えば記録媒体がスタンダード光沢紙であるならば光沢紙のカテゴリ、プレミアム普通紙ならば普通紙のカテゴリに分類されている。記録媒体は紙媒体ではない媒体も含むが、本実施形態においてはユーザーに対して「用紙」という文言を用いて通知を行う。各記録媒体の特性値は記録装置内の記憶媒体ではなく、ホストコンピュータのＲＯＭやサーバーなどの外部メモリに記憶してもよい。
【００１９】
インタフェース（Ｉ／Ｆ）回路４１０は、記録装置１００と外部のＬＡＮ等のネットワークとを接続する。記録装置１００は、Ｉ／Ｆ回路４１０により、外部のホストコンピュータ等の装置との間で各種ジョブやデータ等の送受信を行う。
【００２０】
入出力部４０６は、入力部と出力部を含む。入力部はユーザーからの電源投入の指示や、記録実行の指示、各種機能の設定の指示を受け付ける。出力部は省電力モード等の各種装置情報や、記録装置１００が実行可能な各種機能の設定画面を表示する。本実施形態では入出力部４０６は記録装置１００に備えられた操作パネルであり、入出力部４０６は、入出力制御回路４０５を介してシステムバス４１６とデータの送受信が可能なように接続されている。本実施形態ではＣＰＵ４０１が出力部の情報の通知制御を行う。
【００２１】
他にも、入力部は外部のホストコンピュータのキーボードでもよく、外部のホストコンピュータからユーザーの指示を受付可能としてもよい。出力部は、ＬＥＤディスプレイやＬＣＤディスプレイ、ホスト装置と接続されているディスプレイでもよい。また、入出力部がタッチパネルである場合には、ソフトウェアキーによりユーザーからの指示を受付可能である。また、入出力部４０６はスピーカーとマイクであって、ユーザーからの入力を音声入力、ユーザーへの通知を音声出力としてもよい。
【００２２】
ＣＰＵ４０１とＲＯＭ４０２と同様の機能を持つＣＰＵとＲＯＭを備え、記録装置１００と外部接続される情報処理装置が、後述する記録媒体決定処理を行い、記録装置１００で使用する記録媒体を決定してもよい。
【００２３】
光学センサ２０１による測定を実施する場合には、ＣＰＵ４０１によりＬＥＤ制御回路４０７が駆動され、光学センサ２０１内の所定のＬＥＤが点灯するように制御される。光学センサ２０１の各フォトダイオードは受光した光に応じた信号を出力し、Ａ／Ｄ変換回路４０８によりデジタル信号に変換され、ＲＡＭ４０３に一旦保存される。記録装置１００の電源オフ時にも保存されるべきデータは、ＥＥＰＲＯＭ４０４に記憶される。
【００２４】
記録ヘッド制御回路４１１は、記録ヘッド１０２に搭載されセレクタやスイッチを含むノズル駆動回路に対して、記録データに応じた駆動信号を供給し、ノズルの駆動順序等、記録ヘッド１０２の記録動作の制御を行う。例えば、外部からＩ／Ｆ回路４１０に記録対象データが送信されてきた場合、記録対象データは、ＲＡＭ４０３に一旦保存される。そして、記録ヘッド制御回路４１１は、記録対象データから、記録のための記録データに変換された記録データに基づいて、記録ヘッド１０２を駆動する。その際、ＬＦ（ラインフィード）モータ駆動回路４１２は、記録データのバンド幅等に基づいてＬＦモータ４１３を駆動し、ＬＦモータ４１３と接続されている搬送ローラが回転することにより記録媒体を搬送する。ＣＲ（キャリッジ）モータ駆動回路４１４は、ＣＲ（キャリッジ）モータ４１５を駆動することによりキャリッジベルト１０３を介してキャリッジ１０１を走査させる。
【００２５】
Ｉ／Ｆ回路４１０から送られてくるデータには、記録対象データのみでなく、プリンタドライバで設定された内容のデータも含まれる。また、記録対象データは、例えば、Ｉ／Ｆ回路４１０を介して外部から受信して記憶部に格納されたり、ハードディスク等の記憶部に予め格納されたりしている場合もある。ＣＰＵ４０１は、画像データを記憶部から読み出して画像処理回路４０９を制御して、記録ヘッド１０２を用いるための記録データへの変換（二値化処理）を実行する。画像処理回路４０９は、二値化処理の他、色空間変換、ＨＶ変換、ガンマ補正、画像の回転等、種々の画像処理を実行する。
【００２６】
＜記録媒体の種類の選択方法＞
記録対象の記録媒体１０５の種類を特定することによって、インクの最大使用量、記録ヘッドの高さ、記録媒体のプラテンへの吸着力、記録媒体の搬送量補正の程度などのパラメータが設定される。記録媒体の特性に影響するような制御パラメータであれば、他のパラメータが用いられていてもよい。
【００２７】
本実施形態では、記録媒体の種類を選択する際のモードが５つあり、固定モード、手動モード、推定手動モード、推定自動モード、バーコードモードがある。これらのモードのうち、測定結果から記録媒体の種類を推定する測定モードとしては、推定手動モード、推定自動モードがある。また、測定結果を用いず、ユーザーによる記録媒体の種類の指定、あるいはモードの指定によって記録媒体の種類を決定する指定モードとしては、手動モード、固定モード、バーコードモードがある。
【００２８】
固定モードは、ユーザーが予め設定している記録媒体の種類を記録対象の記録媒体の種類として自動的に決定する。
【００２９】
手動モードは入出力部４０６に記録媒体のカテゴリを表示し、ユーザーはカテゴリを選択し、更に選択したカテゴリ内から記録媒体の種類を選択することによって記録対象の記録媒体の種類を決定する。
【００３０】
推定手動モードは、光学センサ２０１によって記録対象の記録媒体１０５の特性を測定し、その測定結果に基づいて記録媒体の種類の候補を入出力部４０６に表示する。ユーザーが入出力部４０６から記録媒体の種類を選択することによって記録対象の記録媒体の種類を決定する。
【００３１】
推定自動モードは、光学センサ２０１によって記録対象の記録媒体１０５の特性を測定し、その測定結果に基づいて記録媒体の種類の候補を入出力部４０６に表示する。ユーザーによる操作が所定時間行われなかった場合には、最も上位の候補として表示していた記録媒体の種類を記録対象の記録媒体の種類として決定する。ユーザーによって記録媒体の種類が選択された場合には、選択された種類を記録対象の記録媒体の種類として決定する。
【００３２】
バーコードモードは、記録媒体に予め記録媒体の種類を示す情報がバーコードとして記録されており、バーコードを読み込むことによって記録対象の記録媒体の種類を決定する。
【００３３】
以上の５つのモードは、ユーザーによって切り替え可能である。入出力部４０６に表示されているホーム画面を図５（ａ）に示す。なお、図５（ａ）はホーム画面に表示されている項目のうち「本体設定」が選択されたときの様子を示している。項目が選択されると、選択された項目が強調表示され、次の画面が表示される。図５では項目の背景を他の項目の色とは異ならせ、項目の枠を太くすることによって強調表示する。
【００３４】
ホーム画面において「本体設定」が選択されると図５（ｂ）に示すような本体設定画面を表示する。図５（ｂ）に表示されているボタン４０をタッチすると画面の表示を下にスクロールすることができる。「ＳＴＯＰ」をタッチすると図５（ｂ）の表示から図５（ａ）のホーム画面の表示に切り替わる。本体設定画面から「用紙関連の設定」が選択されると、図５（ｂ）に示すように「用紙関連の設定」の項目を強調表示し、図５（ｃ）に示すような用紙関連の設定画面を表示する。なお、図５（ｃ）は、設定画面において「用紙種類の選択方法」が選択されたときの様子を示している。用紙関連の設定画面では、記録を行う際の記録ヘッド１０２の高さを設定するための項目や、ロール紙をカットする際のカットスピードを設定するための項目など、記録装置１００に設定されている記録媒体情報の設定を行うための項目を表示する。図５（ｃ）の用紙関連の設定画面において「用紙種類の選択方法」が選択されると、図５（ｄ）に示すような用紙種類の選択方法の設定画面を表示する。ユーザーはこの画面から、上述した記録媒体の種類を選択する際のモードを設定可能である。図５（ｄ）に表示される「推定結果から自動選択」が選択されると推定自動モードが実行され、「推定結果から手動選択」が選択されると推定手動モードが実行される。
【００３５】
＜モード共通フロー＞
図６は、記録対象の記録媒体の種類を決定する記録媒体決定処理を示すフローチャートである。記録媒体決定処理は、記録媒体の種類を選択する際のモードが設定された後に行われる処理である。
【００３６】
以下の記録媒体決定処理においては、ユーザーが選択した記録媒体の種類の特性値について、測定値を新たな情報として得て、これに基づいて予め定められている特性値を測定値に近づけるように変更する。このような学習により、より精度よく記録媒体の種類を選択できるような特性値を獲得していく。
【００３７】
固定モード、手動モード、バーコードモードに関しては、入出力部４０６に情報を表示するに当たり、光学センサ２０１によって測定された記録媒体の特性の測定結果を利用しない。しかし、いずれのモードにおいても、光学センサ２０１による記録媒体の特性の測定と測定に基づく学習を行う。測定値が必要なモード以外でも測定を行い、学習することによって、精度よく記録媒体の種類を判別できるような特性値を獲得しやすくなる。本実施形態では、全てのモードにおいて記録媒体の特性値の学習を行うが、例えば正しい記録媒体が選択される確率が高いバーコードモードでのみ学習を行うようにしてもよい。
【００３８】
図６のＳ１０１〜Ｓ１０７までの各ステップの処理は、例えば、図４で示すＣＰＵ４０１がＲＯＭ４０２に記憶されたプログラムをＲＡＭ４０３に読み出して実行することで実現される。また、記録媒体決定処理はホスト装置のソフトウェアによって実行されてもよい。本実施形態において入出力部４０６は記録装置に備えられた操作パネルであるので記録媒体の候補の通知は操作パネルに記録媒体の名称を表示することによって行われる。入出力部４０６はホスト装置に接続されたディスプレイとホスト装置であってもよい。また、入出力部４０６が音声の入出力が可能なマイク機能のあるスピーカーである場合には記録媒体の候補の通知はスピーカーによって行われ、記録媒体の選択はマイクにユーザーが記録媒体の名称、或いは対応する符号を音声入力することによって行われる。
【００３９】
ＣＰＵ４０１は、入出力部４０６である操作パネルからユーザーによる給紙開始の指示を受け付けると記録媒体１０５の給紙処理を実施する。図７（ａ）は給紙処理開始の指示の入力を受け付ける操作パネルの表示例である。操作パネルはユーザーによるタッチ入力可能なタッチパネルである。「はい」の項目をタッチすると給紙が開始される。
【００４０】
図７（ａ）で「はい」の項目が選択され、給紙が開始されると、記録媒体１０５は搬送ローラによりプラテン１０６上の光学センサ２０１が検知可能な位置まで搬送される。記録媒体１０５が搬送されると、記録媒体１０５上をキャリッジ１０１がＸ方向に移動し、光学センサ２０１によって記録媒体１０５の乱反射値、正反射値、記録媒体の厚さの値（以下、紙厚）を取得する（ステップＳ１０１）。乱反射値は記録媒体の白色度と対応し、正反射値は記録媒体の光沢度と対応する。記録媒体の特性として、記録媒体のＸ方向の幅を使用して記録媒体決定処理を行ってもよい。記録媒体の特性の測定を行う位置は１箇所でもよいし、複数箇所の測定結果の平均を取ってもよい。また、特性の測定は光学センサ２０１が停止した状態で行ってもよいし、移動しながら行ってもよい。測定値は一旦ＲＡＭ４０３などのメモリに記憶される。
【００４１】
次いで、ＣＰＵ４０１はステップＳ１０２にて設定されている記録媒体を決定する際のモードを確認する。モードはＲＯＭ４０２に記憶されている。設定されているモードに応じた処理を行い、推定手動モードはステップＳ１０３に、推定自動モードはステップＳ１０４に、手動モードはステップＳ１０５に、固定モードはステップＳ１０６に、バーコードモードはステップＳ１０７に進む。ステップＳ１０３〜Ｓ１０７にて記録対象の記録媒体の種類を決定し、記録媒体決定処理を終了する。
【００４２】
以下にステップＳ１０３〜Ｓ１０７の、各モードに応じた処理を説明する。
【００４３】
＜推定手動モード＞
推定手動モードでは、ユーザーが選択した記録媒体の種類の特性値について、測定値を新たな情報として得て、これに基づいて予め定められている特性値を測定値に近づけるように変更する。このような学習により、より精度よく記録媒体の種類を選択できるような特性値を獲得していく。
【００４４】
図８にステップＳ１０３の推定手動モードについてのフローチャートを示す。
【００４５】
ステップＳ２０１では、ＣＰＵ４０１は図６のステップＳ１０１で取得した測定値をメモリから読み出し、ＥＥＰＲＯＭ４０４に記憶されている予め定められた各記録媒体の特性値と比較し、記録媒体の種類の候補を抽出する。ステップＳ２０１の記録媒体の種類を抽出する処理のフローチャートを図１０に示す。
【００４６】
測定値が示す特性に該当する度合が所定の度合より高い記録媒体の種類を抽出する。詳しくは以下の通りである。図９（ａ）はＥＥＰＲＯＭ４０４に記憶されている記録媒体の種類毎の特性値を示す。この特性値は現段階が初期値であれば特性値＝Ｔ０である。この値を基準値として測定値との比較により、記録媒体の種類を判別する。この基準値の範囲を抽出範囲とする。乱反射値、正反射値は、光学センサ２０１が光を受光して出力する出力電圧を１０ｂｉｔでＡ／Ｄ変換した値である。抽出範囲は、記録媒体の各特性値のｍｉｄｄｌｅ値を中心とするｍｉｎ値からｍａｘ値までの範囲である。
【００４７】
ステップＳ７０１では、取得した紙厚が、記憶手段ＥＥＰＲＯＭ４０４に記憶された紙厚の抽出範囲内である記録媒体の種類を抽出する。本実施形態において、紙厚は中心値から±５０μｍが抽出範囲である。
【００４８】
そして、抽出された記録媒体の種類があるか否かを判断する（ステップＳ７０２）。
【００４９】
記録媒体の種類が抽出されなかった場合には、抽出した記録媒体の種類がないことを示す情報をＲＡＭ４０３に記憶し、記録媒体の抽出処理を終了する。
【００５０】
ステップＳ７０２で記録媒体の種類が抽出された場合、取得した乱反射値が、記憶手段ＥＥＰＲＯＭ４０４に記憶された乱反射値の抽出範囲内である記録媒体の種類を抽出する（ステップＳ７０３）。図９（ａ）で示すように、乱反射値の抽出範囲は中心値から±５の範囲である。ここで、抽出された記録媒体の種類があるか否かを判断する（ステップＳ７０４）。該当する記録媒体の種類が無い場合、抽出した記録媒体の種類がないことを示す情報をＲＡＭ４０３に記憶し、記録媒体の抽出処理を終了する。
【００５１】
ステップＳ７０４で抽出した記録媒体の種類がある場合、取得した正反射値が、記憶手段ＥＥＰＲＯＭ４０４に記憶された正反射値の抽出範囲内である記録媒体の種類を抽出する（ステップＳ７０５）。図９（ａ）で示すように、正反射値の抽出範囲は中心値から±５の範囲である。ここで、抽出された記録媒体の種類があるか否かを判断する（ステップＳ７０６）。該当する記録媒体の種類が無い場合、抽出した記録媒体の種類がないことを示す情報をＲＡＭ４０３に記憶し、記録媒体の抽出処理を終了する。
【００５２】
ステップＳ７０６で抽出した記録媒体の種類がある場合、抽出した記録媒体の種類を示す情報をＲＡＭ４０３に記憶し、記憶媒体の抽出処理を終了する。
【００５３】
ステップＳ２０１にて記録媒体の抽出処理を終了すると、ステップＳ２０２にて抽出した記録媒体があるかを判定する。図１０の記録媒体抽出処理にてＲＡＭ４０３に記憶された情報をＣＰＵ４０１によって読み出すことによって判定を行う。
【００５４】
ステップＳ２０２で抽出した記録媒体の種類がある場合、抽出した記録媒体の種類の特性値が測定値に近い順に優先順位をつける（ステップＳ２０３）。表示の順序の決め方について詳しくは後述する。
【００５５】
記録媒体の種類の名称を、図７（ｄ）に示すように、ステップＳ２０３で決定した優先順位の高い順に上から表示する（ステップＳ２０４）。
【００５６】
図７（ｄ）では優先度の高い順に記録媒体の名称の横に１〜３までの符号を付して表示している。記録媒体の種類の選択は、表示されている記録媒体の名称の項目をタッチすることによって行われる。ここでは、１の番号が付されているスタンダード半光沢紙の優先度が最も高い。符号は優先度の高さが分かるようなものであればよく、数字以外の符号でもよい。また、表示の方法はこれに限らず優先順をユーザーが認識可能であればよい。
【００５７】
図７（ｄ）では、候補の記録媒体を上から３つまで表示することができるが、抽出された記録媒体の種類は２種類であるため、図７（ｄ）では２つの記録媒体までしか表示していない。３つ目の欄には上記２つの記録媒体の名称よりも目立たないように「選択候補がありません」と薄く（或いは暗く）表示し、ユーザーには３つ目の候補がないことを報知する。例えば操作パネルの背景の色が黒の場合、記録媒体２つは白色で、「選択候補がありません」という内容は白よりも輝度の低い色であるグレーで表示する。「選択候補がありません」という内容の表示の下部には、用紙のカテゴリを表示する。このようにしてユーザーが所望する記録媒体が入出力部４０６に表示された記録媒体の中になかった場合に、その他の種類の記録媒体を選択するために、個別の記録媒体を選択できるようにしてある。本実施形態では、カテゴリは１位の記録媒体の種類が属するカテゴリを一番上に表示する。特性が近いカテゴリを上位に表示し、選択しやすくすることによって候補の記録媒体にユーザーが所望する記録媒体が無かった場合でも、所望の記録媒体のカテゴリを選択するまでの手間を少なくすることができる。
【００５８】
図１１に他の形態の入出力部４０６における記録媒体の種類の候補の表示方法を示す。図１１（ａ）のように、抽出された記録媒体の種類の候補が操作パネルに表示しきれない場合にはスクロール操作等によって下位の候補を表示可能にしてもよい。また、候補の上位から順に表示せずとも、優先順位をユーザーが認識可能であればよい。操作パネルの中央に最も上位の記録媒体の名称を表示させるようにしてもよいし、図１１（ｂ）のように優先度が上位の記録媒体の名称を表示する文字の大きさを大きくする、太字にするなどして優先度の上下を表現してもよい。また、「用紙のカテゴリ」という表示の下にカテゴリが表示されているが、「用紙のカテゴリ」を意味する表示なしにカテゴリを表示するようにしてもよい。また、候補の記録媒体の下にはカテゴリではなく、候補以外の記録媒体の種類を表示してもよい。
【００５９】
また、図１１（ｃ）のように優先度が１位の記録媒体のみを表示するようにしてもよい。ユーザーが、抽出された他の記録媒体を選択したい場合には、図１１（ｃ）ではスタンダード普通紙と表示されている記録媒体の項目の部分を選択することができる。この選択を受け付けると図７（ｄ）のような画面の表示になり、他の記録媒体を選択できるような表示方法でもよい。
【００６０】
ステップＳ２０２にて抽出した記録媒体が無いと判定された場合、図７（ｂ）のように操作パネルにカテゴリ表示を行う（ステップＳ２０５）。ユーザーが選択したカテゴリの入力を受け付けると図７（ｃ）のようにカテゴリ内の記録媒体の種類を表示する。そして、表示した記録媒体の種類のうち選択された記録媒体の種類についての入力を受ける。入力は記録媒体の名称が表示されている項目をタッチすることによって行われる。図７（ｂ）では、記録媒体のカテゴリとは別に、「すべて」という項目を一番下に表示している。この「すべて」が選択されると全ての記録媒体が予め定められた順番で表示される。最近、即ち一番最後に使用された記録媒体から近い順番に表示するようにしてもよい。
【００６１】
ステップＳ２０６にて、ユーザーが入出力部４０６から記録媒体の種類を選択すると、ステップＳ２０７では測定値が選択された記録媒体の学習範囲内か否かを判断する。ここで、学習範囲について説明する。ユーザーが選択した記録媒体の種類の特性値を、測定値に基づいて変更することにより、より抽出の精度が上がるような特性値を得ることができる。しかし、予め定められた（あるいは学習過程を経て変更が行われた）特性値から大きくかけ離れた測定値に基づいて学習を行ってしまうと間違った値を学習してしまうこととなるため、学習する測定値の範囲である学習範囲が設定されている。学習範囲は、本実施形態では抽出範囲の２倍の範囲を持つ範囲である。学習範囲は特性値を変更するための範囲である。選択された記録媒体の学習範囲内に測定値が入っていた場合に、測定値に基づいて特性値を変更する。本実施形態において、学習範囲は特性値の中心値から、所定の値の範囲とするが、これはとｍｉｎ値との差分、あるいは中心値とｍａｘ値と差分の２倍の値の範囲である。例えば、図９（ａ）のスタンダード光沢紙の正反射値の抽出範囲は中心値から±５の９５〜１０５である。学習範囲は±５の２倍である中心値から±１０の範囲を取るため、学習範囲は９０〜１１０である。同じように、乱反射値、紙厚についても抽出範囲の２倍の範囲を取るため、スタンダード光沢紙の乱反射値の学習範囲は９０〜１００、紙厚の学習範囲は９０〜２９０である。学習範囲はこれに限らず、例えば抽出範囲と同じ範囲を取ってもよいし、特性や記録媒体の種類ごとに異なる学習範囲を設定してもよい。選択された記録媒体の種類の学習範囲の中に測定値が入っている場合にはステップＳ２０８に進み、ステップＳ２０６で選択された記録媒体の種類の特性値を測定値に基づいて変更した値に更新してＥＥＰＲＯＭ４０４に記憶させる。以上により推定手動モードによる記録媒体決定処理が終了する。学習範囲の中に測定値が入っていない場合には選択された記録媒体の種類の特性値を更新せずに推定手動モードによる記録媒体決定処理を終了する。特性値の更新について詳しくは後述する。
【００６２】
記録媒体決定処理が終了し、記録準備が完了すると、ユーザーからの記録ジョブを受け付ける状態となり、記録ジョブを受信したら記録を開始する。記録準備を完了する前に記録ジョブを受け付けて、ＲＡＭ４０３に保存しておき、記録準備が完了したら記録を開始するようにしてもよい。また、入出力部４０６からユーザーが選択して入力された記録媒体の種類と、ホストコンピュータから記録装置１００に送信されたジョブの記録媒体の種類が異なっている場合は、ＥＥＰＲＯＭ４０４に記憶している記録媒体の特性値を更新しないようにしてもよい。
【００６３】
図１０の記録媒体の抽出処理では、ステップＳ７０１で該当する紙厚を有する記録媒体の種類を抽出し、ステップＳ７０３で該当する乱反射値を有する記録媒体の種類を、ステップＳ７０５で該当する正反射値を有する記録媒体の種類を抽出している。抽出する順番はこれに限らず、例えば乱反射値が該当する記録媒体の種類をまず抽出するようにしてもよい。
【００６４】
光学センサ２０１が記録装置とは別体の測定機器に設けられている場合には、まず測定機器にセットされた記録媒体の特性を測定によって測定する。そして取得した測定値を記録装置に送信し、記録装置のＣＰＵ４０１によって記録媒体を抽出して、入出力部４０６に候補を通知するような形態でもよい。
【００６５】
以下に具体例を挙げながら記録媒体決定処理のステップＳ２０３の表示の順序の決め方、ステップＳ２０８の特性値の更新について説明する。ステップＳ１０１で取得した記録媒体の特性が、図１２に示すように、（乱反射値、正反射値、紙厚）＝（１０３、９８、２２５）である。図１３にステップＳ２０１の処理の判定結果を示す表である。測定値が抽出範囲内に入った記録媒体を「○」で示し、測定値が抽出範囲に入らなかった記録媒体を「×」で示す。抽出範囲に入らなかった特性値がある記録媒体は次の処理で判定自体を行わない。これを図１３では「判定しない」と表示している。
【００６６】
ステップＳ７０１では、図９（ａ）に示す紙厚の抽出範囲に、取得した紙厚１９０が入る記録媒体の種類である、スタンダード光沢紙、スタンダード半光沢紙、プレミアム光沢紙、厚口光沢紙が抽出される。抽出した記録媒体の種類があるのでステップＳ７０２はＹｅｓとなり、ステップＳ７０３に進む。
【００６７】
ステップＳ７０３では、ステップＳ７０１で抽出した記録媒体の中から、図９（ａ）に示す乱反射値の抽出範囲に、測定した乱反射値１０３が入る記録媒体の種類である、スタンダード光沢紙、スタンダード半光沢紙、厚口光沢紙が抽出される。抽出した記録媒体の種類があるのでステップＳ７０４はＹｅｓとなり、ステップＳ１０７に進む。
【００６８】
ステップＳ７０５では、ステップＳ７０３で抽出した記録媒体の中から、図９（ａ）に示す正反射値の抽出範囲に、測定した正反射値が入る記録媒体を抽出する。ここではスタンダード光沢紙、スタンダード半光沢紙と、厚口光沢紙が抽出される。抽出した記録媒体があるのでステップＳ７０６はＹｅｓとなり、ステップＳ７０７に進む。ステップＳ７０７では抽出した記録媒体の種類を示す情報をＲＡＭ４０３に記憶する。
【００６９】
ステップＳ２０２で、抽出した記録媒体の種類があるため、ステップＳ２０３に進む。ステップＳ２０３では、特性値が測定値に近い記録媒体の方が優先順位の高い記録媒体として順位をつける。そして、ステップＳ２０４では抽出した記録媒体の種類の名称を、優先順位の高い記録媒体から順に上から表示する。
【００７０】
図１４はステップＳ２０３における順位の決定方法について説明するための図である。本実施形態では、以下の計算方法によって各特性の中心値と測定値の近さを計算する。
｜（測定値−特性の中心値）／（特性のｍａｘ値―特性の中心値）｜
特性のｍａｘ値の代わりにｍｉｎ値を使用してもよい。
【００７１】
例えばスタンダード光沢紙の正反射値について計算すると、｜（１０３−１００）／（１０５−９５）｜＝０．６である。ステップＳ２０１で抽出した記録媒体の種類について上記の計算を行い、各特性の測定値への近さの値を合計する。合計値が小さい記録媒体ほど測定値に近いことを示す。合計値の小さい記録媒体ほど上位の記録媒体の種類と判断し、入出力部４０６に表示を行う。ここでは、図７（ｅ）に示すように、スタンダード光沢紙、厚口光沢紙、スタンダード半光沢紙の順に表示を行う。
【００７２】
ステップＳ２０６でユーザーによって表示順位が３位のスダンダード半光沢紙が選択された場合のステップＳ２０７の処理について説明する。
【００７３】
ステップＳ２０７では、ステップＳ１０１で取得した測定値が、選択された記録媒体の種類であるスダンダード半光沢紙の学習範囲内か否かを判定する。測定値が、乱反射値、正反射値、紙厚、の全ての特性の学習範囲内である場合にスタンダード半光沢紙の学習範囲であると判定する。図９（ａ）に示すように、スタンダード半光沢紙の正反射値の抽出範囲は中心値（ｍｉｄｄｌｅ）を９９として±５の範囲である９４〜１０４である。上述したように学習範囲は抽出範囲と同じ中心値から、抽出範囲の２倍の範囲とする。スタンダード半光沢紙の正反射値の学習範囲は中心値を９９として±１０の範囲である８９〜１０９である。同様にしてスタンダード半光沢紙の乱反射値の学習範囲は８５〜１０５、紙厚の学習範囲は９０〜２９０である。以上の学習範囲に、測定値（乱反射値、正反射値、紙厚）＝（１０３、９８、２２５）の全てが入っているため、ステップＳ２０８に進む。
【００７４】
ステップＳ２０８では、測定値に基づいて選択された記録媒体の種類の特性値を更新する。図９（ａ）に示す特性値は更新する前の特性値であり、図１２には測定値を示す。本実施形態では、記録媒体の種類の特性値を測定値に一定の割合で近づける。ここで測定値には測定誤差が含まれるため、測定値をそのまま特性値として一度に置き換えるよりも、測定値と特性値との差分が一定割合ずつ少なくなってゆくように、複数回の学習により段階的に差分が解消するようにするとよい。その一例を一般化した式で表すと以下のようになる。
更新後の特性値（Ｔｎ＋１）＝（測定値（Ｒ）−特性値（Ｔｎ））×α＋更新前の特性値（Ｔｎ）
ここで、αは特性値を測定値に近づける割合を示す値である。近づける割合を２５％とすると、正反射値の中心値は以下のようになる。例えば、Ｔｎ＝Ｔ０（初期値）である場合には、１回目の更新によりＴ１が求められる。
【００７５】
Ｒ＝１０３，Ｔｎ＝Ｔ０＝９９，である場合には、下記のようにしてＴ１が求められる。
Ｔ１＝（１０３−９９）×０．２５＋９９＝１００
同様に乱反射値、紙厚の特性値を更新する。更新した結果を図９（ｂ）に示す。抽出範囲は、正反射値、乱反射値は中心値から±５、紙厚は中心値から±５０ということは変更せずに、中心値に合わせてｍｉｎ値、ｍａｘ値も更新する。更新した特性値はＥＥＰＲＯＭ４０４のスタンダード半光沢紙の特性値として、元の特性値と書き換えて記憶され、次回以降の記録媒体決定処理に使用される。以上で記録媒体決定処理が終了する。
【００７６】
以上の例では、特性値を更新する際には、特性値から測定値に２５％近づけたが、近づける割合はこれに限らず、０％より大きく１００％以下の割合であればよい。また、近づける割合は記録媒体の種類ごとに設定されていても、特性ごとに設定されていてもよい。
【００７７】
図９（ｂ）のように特性値を更新した状態で、再び記録媒体の特性が、（乱反射値、正反射値、紙厚）＝（１０３、９８、２２５）であるスタンダード半光沢紙を測定する。測定値に特性値が近い順に順位づけした結果を図１４（ｂ）に示す。スタンダード半光沢紙の特性値を更新したことによって、スタンダード半光沢紙の順位が１位になった。そのため、ステップＳ２０４にて入出力部４０６には、測定した記録媒体であるスタンダード半光沢紙が最も上位の記録媒体として表示されることになり、ユーザーがより選択しやすくなる。
【００７８】
また、特性値が測定値と近い順に通知したが、他の方法でもよい。使用された記録媒体の使用履歴情報がＥＥＰＲＯＭ４０４などに記憶されている場合には、履歴情報を使用してもよい。例えば、図１０の記録媒体抽出処理によって抽出した記録媒体の種類を、履歴情報が示す後に使用された記録媒体ほど優先順位の高い記録媒体として、優先順位の高い記録媒体の名称を上から順に表示することができる。
【００７９】
また、測定値を記録媒体の種類の特性値を反映させる他の方法として、過去Ｎ回分の測定値の平均値を特性値として設定するようにしてもよい。図１５は、過去３回の測定値によって特性値を設定する方法を説明するための図である。ここではスタンダード半光沢紙の正反射値を例にとって説明する。図１５（ａ）はステップＳ２０６において１回もスタンダード半光沢紙が選択されていない場合を示す。図１５（ａ）では初期設定の値である９９が過去３回分の値として入力されており、平均値も９９のため特性値は９９となっている。図１５（ｂ）はスタンダード半光沢紙が選択されると、測定値１０３が１回前の測定値として入力される。測定値１０３が入力されたときの平均値１００．３を次回以降使用する特性値として設定する。図１５（ｃ）は更にスタンダード半光沢紙が選択された場合を示しており、１回前の測定値として１０４が入力されている。このときの平均値である１０２を次回以降使用する特性値として設定する。図１５（ｄ）は、図１５（ｃ）の状態から更にスタンダード半光沢紙が選択された場合を示しており、１回前の測定値として１０２が入力されている。このときの平均値１０３を次回以降使用する特性値として設定する。
【００８０】
＜推定自動モード＞
図１６にステップＳ１０４の推定手動モードについてのフローチャートを示す。
【００８１】
ステップＳ３０１〜Ｓ３０３、Ｓ３０５は図８に示す推定手動モードのステップＳ２０１〜Ｓ２０５と同様の処理を行う。
【００８２】
ステップＳ３０４では、記録媒体の種類の名称を、図７（ｆ）に示すように、ステップＳ３０３で決定した優先順位の高い順に上から表示する。候補の記録媒体の種類と共に、優先順位が最も高い記録媒体の種類を選択する場合には操作をしなくてもよいことを通知するために、「１．の用紙を自動で給紙します」という表示を行う。また、優先順位が最も高い記録媒体の種類以外の記録媒体の種類も選択可能であるということを通知するために「リストからも選択可能です」という表示を行う。
【００８３】
ステップＳ３０６にて、ユーザーが所定時間以内に入出力部４０６を操作しなかった場合には、ステップＳ３０４にて表示した記録媒体の種類の中で優先度が最上位の記録媒体の種類を対象の記録媒体１０５の種類に決定する。そしてステップＳ３１０に進む。
【００８４】
ステップＳ３０６にて、所定時間以内に入出力部４０６が操作された場合には、ステップＳ３０８にてユーザーが選択した記録媒体の種類を対象の記録媒体１０５の種類に決定する。ステップＳ３０８にて記録媒体の種類が選択されると、ステップＳ３０９では測定値が選択された記録媒体の学習範囲内か否かを判断する。ステップＳ３０９、Ｓ３１０は図８のステップＳ２０７、Ｓ２０８と同様の処理を行う。測定値が学習範囲内でない場合には特性値を更新せずに推定自動モードの記録媒体決定処理を終了する。測定値が学習範囲内である場合にはステップＳ３１０に進む。
【００８５】
ステップＳ３１０では、選択された記録媒体の種類の特性値を測定値に基づいて変更した値に更新してＥＥＰＲＯＭ４０４に記憶させる。以上により推定自動モードによる記録媒体決定処理が終了する。
【００８６】
＜手動モード＞
図１７にステップＳ１０５の手動モードについてのフローチャートを示す。
【００８７】
ステップＳ４０１では、入出力部４０６に図７（ｂ）に示すような記録媒体のカテゴリを表示する。本実施形態では、カテゴリの表示順は予め定められた順番に表示する形態とする。他にも、使用された記録媒体の使用履歴情報がＥＥＰＲＯＭ４０４などに記憶されている場合には、履歴情報が示す最近使用された記録媒体が属するカテゴリを上位に表示してもよい。また、履歴情報が示す最近使用された記録媒体の種類を上位に表示してその下にカテゴリを表示してもよい。また、カテゴリではなくすべての記録媒体の種類を表示するようにしてもよい。
【００８８】
ユーザーがカテゴリを選択すると図７（ｃ）に示すようなユーザーが選択したカテゴリに属する記録媒体の種類が表示される。ユーザーが、表示された記録媒体の種類から記録媒体を選択すると（ステップＳ４０２）、ステップＳ４０３では測定値が選択された記録媒体の学習範囲内か否かを判断する。ステップＳ４０３、Ｓ４０４は図８のステップＳ２０７、Ｓ２０８と同様の処理を行う。測定値が学習範囲内でない場合には特性値を更新せずに手動モードの記録媒体決定処理を終了する。測定値が学習範囲内である場合にはステップＳ４０４において、ステップＳ４０２で選択された記録媒体の種類の特性値を測定値に基づいて変更した値に更新してＥＥＰＲＯＭ４０４に記憶させる。以上により手動モードによる記録媒体決定処理が終了する。
【００８９】
＜固定モード＞
固定モードを使用する場合には、記録媒体決定処理が開始される前に、ユーザーは固定モードを選択し、固定で使用する記録媒体の種類を予め設定する。設定された記録媒体の種類はＥＥＰＲＯＭ４０４に記憶する。ここではスタンダード光沢紙が予め設定されているとして説明する。
【００９０】
図１８にステップＳ１０６の固定モードについてのフローチャートを示す。
【００９１】
ステップＳ５０１では、入出力部４０６に図７（ｇ）に示すように予め設定されている記録媒体の種類の名称を表示する。
【００９２】
ステップＳ５０２において、ユーザーが所定時間以内に入出力部４０６を操作しない、または図７（ｇ）の「ＯＫ」の項目を選択した場合には、予め設定されているスタンダード光沢紙を記録対象の記録媒体１０５に決定し、ステップＳ５０４に進む。
【００９３】
ステップＳ５０２において、所定時間以内に「用紙種類」の項目が選択された場合には、図７（ｂ）のような記録媒体のカテゴリ表示を行い、ユーザーは予め設定されていなかった記録媒体の種類を選択することができる。ステップ５０３において記録媒体の種類が選択されるとステップＳ５０４に進む。
【００９４】
ステップＳ５０４、Ｓ５０５は図８のステップＳ２０７、Ｓ２０８と同様の処理を行う。ステップＳ５０４では測定値が選択された記録媒体の学習範囲内か否かを判断する。測定値が学習範囲内でない場合には特性値を更新せずに固定モードの記録媒体決定処理を終了する。測定値が学習範囲内である場合にはステップＳ５０５にて、選択された記録媒体の種類の特性値を測定値に基づいて変更した値に更新してＥＥＰＲＯＭ４０４に記憶させる。以上により固定モードによる記録媒体決定処理が終了する。
【００９５】
＜バーコードモード＞
バーコードモードは主にロール紙において使用されるモードである。以降は記録対象の記録媒体がロール紙であるとして説明する。記録媒体は記録を行うときには記録装置１００に取り付けられて使用される。ユーザーによってバーコードモードが指定されているときに記録装置１００から記録媒体を取り外す、または使用を中断し異なる記録媒体が使用されるときに、記録媒体には図２０（ａ）に示すようなバーコードが記録される。図２０の記録媒体の種類はスダンダード普通紙である。バーコードは読み込み位置を調整するパターンが記録されているエリアＡ１と、記録媒体の種類の情報がバーコードとして記録されているエリアＡ２、記録媒体の種類の名称が記録されているエリアＡ３に分かれている。バーコードでなくとも、記録媒体に記録した情報によって記録媒体の種類が識別できる形態であればよく、例えばＱＲコード（登録商標）などでもよい。
【００９６】
図１９にステップＳ１０７のバーコードモードについてのフローチャートを示す。
【００９７】
ステップＳ６０１において、図２０（ａ）に示すような記録対象の記録媒体１０５に記録されているバーコードを光学センサ２０１によって読み取る。図２０（ｂ）に読み取っている様子を示す模式図を示す。キャリッジ１０１が移動しながら、光学センサ２０１の第１のＬＥＤを記録媒体に照射し、乱反射成分を第１のフォトダイオード３０４で検出することによってバーコードを読み取る。
【００９８】
ステップＳ６０２ではバーコードの読み取りが可能であるか否かを判定する。読み取りが可能であった場合にはステップＳ６０４で記録対象の記録媒体１０５を読み取った記録媒体の種類に決定する。読み取りが行えなかった場合にはステップＳ６０３で図１７の手動モードを実行する。
【００９９】
ステップＳ６０４で記録媒体の種類を決定した場合には、ステップＳ６０５、Ｓ６０６は図８のステップＳ２０７、Ｓ２０８と同様の処理を行う。ステップＳ６０５では測定値が選択された記録媒体の学習範囲内か否かを判断する。測定値が学習範囲内でない場合には特性値を更新せずにバーコードモードの記録媒体決定処理を終了する。測定値が学習範囲内である場合にはステップＳ６０６にて、選択された記録媒体の種類の特性値を測定値に基づいて変更した値に更新してＥＥＰＲＯＭ４０４に記憶させる。以上によりバーコードモードによる記録媒体決定処理が終了する。
【０１００】
以上のように、測定結果を使用せずに記録対象の記録媒体の種類が決定されるモードにおいても記録媒体の特性の測定を行い、測定値に基づいて決定した記録媒体の種類の特性値を学習させる。そのため、測定結果を使用するモードでのみ学習を行うよりも、より精度よく記録媒体の種類を判別できるような特性値を獲得しやすくする。
【符号の説明】
【０１０１】
１００  記録装置
１０５  記録媒体
２０１  光学センサ
４０１  ＣＰＵ
４０４  ＥＥＰＲＯＭ
４０６  入出力部
【図１】
2020163600.tif 000003
【図２】
2020163600.tif 000004
【図３】
2020163600.tif 000005
【図４】
2020163600.tif 000006
【図５】
2020163600.tif 000007
【図６】
2020163600.tif 000008
【図７】
2020163600.tif 000009
【図８】
2020163600.tif 000010
【図９】
2020163600.tif 000011
【図１０】
2020163600.tif 000012
【図１１】
2020163600.tif 000013
【図１２】
2020163600.tif 000014
【図１３】
2020163600.tif 000015
【図１４】
2020163600.tif 000016
【図１５】
2020163600.tif 000017
【図１６】
2020163600.tif 000018
【図１７】
2020163600.tif 000019
【図１８】
2020163600.tif 000020
【図１９】
2020163600.tif 000021
【図２０】
2020163600.tif 000022